(57)【要約】【課題】  回転操作が簡単となるように支持脚を被支持体に取り付けることが可能な支持脚用取り付け具を提供する。【解決手段】  本体側固定プレート体３の取り付けサイドプレート２１と、脚側固定プレート体５の連結サイドプレート３３とを、ヒンジシャフト６７で回転可能に連結する。取り付けサイドプレート２１にはヒンジ長孔３１を形成しておき、ヒンジシャフト６７をこのヒンジ長孔３１を通すことにより配置する。ヒンジシャフト６７を本体側固定プレート体３側に付勢しておく。脚側固定プレート体５を、本体側固定プレート体３と一直線状となる直前で、端部同士が当接するように構成しておく。【選択図】    図２
2005287835.tif 000002
【特許請求の範囲】
【請求項１】
被支持体に支持脚を折り畳み可能に取り付けるための支持脚用取り付け具であって、
前記被支持体及び前記支持脚の一方に固定される第１の固定プレート体と、この第１の固定プレート体にヒンジ構造を介して回転可能に連結された、前記被支持体及び前記支持脚の他方に固定される第２の固定プレート体と、前記第１の固定プレート体に対する第１の角度位置及び第２の角度位置のそれぞれで、前記第２の固定プレート体を前記第１の固定プレート体にロックするロック構造と、を具備し、
前記ヒンジ構造は、前記第１の固定プレート体に形成された側壁状の取り付け部と、前記第２の固定プレート体に設けられた側壁状の連結部と、前記取り付け部及び前記連結部を回転可能に連結するヒンジシャフトと、を備え、
前記ロック構造は、前記第１の角度位置に対応して前記取り付け部の外周に形成された第１の切り欠きと、前記第２の角度位置に対応して前記取り付け部の外周に形成された第２の切り欠きと、前記第１の切り欠き及び前記第２の切り欠きに嵌り込んで係合することができるストッパ部を有し、前記第２の固定プレート体に揺動可能に取り付けられたロックレバーと、前記ロックレバーを係合方向に付勢する係合用バネ手段と、を備え、
前記第１の固定プレート体及び前記第２の固定プレート体の間には解除用バネ手段が接続されていて、
前記ロックレバーの前記ストッパ部が、前記解除用バネ手段のバネ力に抗して前記第２の固定プレート体を前記第１の固定プレート体に対して変位させながら、前記第１の切り欠き又は前記第２の切り欠きに嵌め込まれる、ように構成されている、ことを特徴とする支持脚用取り付け具。
【請求項２】
前記第２の固定プレート体は、前記第１の角度位置で、前記第１の固定プレート体に対して一直線状に開いた状態となり、前記第２の角度位置で、前記第１の固定プレート体に対して屈曲した状態となる、ことを特徴とする請求項１記載の支持脚用取り付け具。
【請求項３】
前記第１の固定プレート体は前記被支持体に固定され、前記第２の固定プレート体は前記支持脚に固定される、ことを特徴とする請求項１又は２記載の支持脚用取り付け具。
【請求項４】
前記第１の固定プレート体の前記取り付け部及び前記第２の固定プレート体の前記連結部の一方には長孔が形成され、
前記ヒンジシャフトは前記長孔に通されていて、
前記解除用バネ手段は、前記ヒンジシャフトを前記長孔の長さ方向一端部側に付勢し、
前記ロックレバーの前記ストッパ部が、前記解除用バネ手段のバネ力に抗して前記第２の固定プレート体を前記第１の固定プレート体に対して回動変位させ、前記ヒンジシャフトを前記長孔の長さ方向他端部側に移動させながら、前記第１の切り欠き又は前記第２の切り欠きに嵌め込まれる、ように構成されている、ことを特徴とする請求項１、２又は３記載の支持脚用取り付け具。
【請求項５】
前記長孔は、前記第１の固定プレート体と平行に長く延びるように前記取り付け部に形成されている、ことを特徴とする請求項４記載の支持脚用取り付け具。
【請求項６】
前記第２の固定プレート体は、前記第１の角度位置に回転する直前で、前記第１の固定プレート体と、端部同士が当接するように構成されていて、
前記ロックレバーの前記ストッパ部が、前記解除用バネ手段のバネ力に抗して、前記第２の固定プレート体を、当接している端部を中心として回転動させながら、前記第１の切り欠き又は前記第２の切り欠きに嵌め込まれる、ように構成されている、ことを特徴とする請求項４又は５記載の支持脚用取り付け具。
【発明の詳細な説明】
【技術分野】
【０００１】
本発明は、例えばコタツの支持脚のように、折り畳んだり展ばしたりする支持脚の取り付け具に関する。
【背景技術】
【０００２】
コタツ等の支持脚は、コタツ本体などの被支持体に折り畳み可能に取り付けられる場合が多く、このような場合に用いられる支持脚用取り付け具としては、第１の固定プレート体にヒンジ構造を介して第２の固定プレート体を回転可能に連結し、第１の角度位置及び第２の角度位置のそれぞれで、第２の固定プレート体を第１の固定プレート体に対してロックするロック構造を、第１の固定プレート体と第２の固定プレート体との間に構成したものが知られている（例えば特許文献１参照）。この支持脚用取り付け具を用いると、第２の固定プレート体を第１の角度位置に回転させてロックすることにより、例えば支持脚を展ばした状態に保持でき、また、第２の固定プレート体を第２の角度位置に回転させてロックすることにより、例えば支持脚を折り畳んだ状態に保持できる。
【０００３】
【特許文献１】特開平１１−１８８６０号公報
【発明の開示】
【発明が解決しようとする課題】
【０００４】
第１の固定プレート体と第２の固定プレート体とを回転可能に連結するヒンジ構造としては、第１の固定プレート体に側壁部を形成し、第２の固定プレート体にも側壁部を形成するととともに、側壁部同士をヒンジピンで回転可能に連結するといったものが一般的に用いられ、また、第２の固定プレート体を第１の固定プレート体にロックするロック構造としては、第１の角度位置及び第２の角度位置に対応して側壁部外周に切り欠きを形成し、この切り欠きに嵌り込んで係合することができるロック部材を設けて、このロック部材を、切り欠き方向にバネ手段で付勢するといったものが採用されている。
【０００５】
このような構造を有する支持脚用取り付け具では、支持脚を回転させる場合には、ロック部材をバネ手段のバネ力に抗して切り欠きから抜け出るように操作することとなるが、ここで、ロック部材から指などを離せば、ロック部材はロック状態に復帰してしまうので、支持脚の回転操作開始時にはロック部材から指などを離すことができない。しかしながら、解除時のロック部材の操作方向と支持脚の回転操作方向とが異なる場合には、ロック部材を操作しながら支持脚も回転操作するといったことは、両手を用いないとスムーズに行えない場合が多い。
【０００６】
そこで本発明は、回転操作が簡単となるように支持脚を被支持体に取り付けることが可能な支持脚用取り付け具の提供を目的とする。
【課題を解決するための手段】
【０００７】
この目的を達成するための本発明の支持脚用取り付け具は、被支持体に支持脚を折り畳み可能に取り付けるための支持脚用取り付け具であって、前記被支持体及び前記支持脚の一方に固定される第１の固定プレート体と、この第１の固定プレート体にヒンジ構造を介して回転可能に連結された、前記被支持体及び前記支持脚の他方に固定される第２の固定プレート体と、前記第１の固定プレート体に対する第１の角度位置及び第２の角度位置のそれぞれで、前記第２の固定プレート体を前記第１の固定プレート体にロックするロック構造と、を具備し、前記ヒンジ構造は、前記第１の固定プレート体に形成された側壁状の取り付け部（例えば第１の固定プレート体に一体的に形成された一対の取り付け部）と、前記第２の固定プレート体に設けられた側壁状の連結部（例えば第２の固定プレート体に一体的に形成された一対の連結部）と、前記取り付け部及び前記連結部を回転可能に連結するヒンジシャフトと、を備え、前記ロック構造は、前記第１の角度位置に対応して前記取り付け部の外周に形成された第１の切り欠きと、前記第２の角度位置に対応して前記取り付け部の外周に形成された第２の切り欠きと、前記第１の切り欠き及び前記第２の切り欠きに嵌り込んで係合することができるストッパ部を有し、前記第２の固定プレート体に揺動可能に取り付けられたロックレバーと、前記ロックレバーを係合方向に付勢する係合用バネ手段と、を備え、前記第１の固定プレート体及び前記第２の固定プレート体の間には解除用バネ手段が接続されていて、前記ロックレバーの前記ストッパ部が、前記解除用バネ手段のバネ力に抗して前記第２の固定プレート体を前記第１の固定プレート体に対して変位させながら、例えば回動変位させながら、前記第１の切り欠き又は前記第２の切り欠きに嵌め込まれる、ように構成されているものである。第２の固定プレート体は第１の固定プレート体に対して相対的に回転できるように構成される。
【０００８】
第１の固定プレート体に形成される取り付け部は、例えば第１の固定プレート体の幅方向両側部を屈曲（例えば直角に屈曲）して形成することができ、また、第２の固定プレート体に設けられる連結部も、例えば第２の固定プレート体の幅方向両側部を屈曲（例えば直角に屈曲）して形成することができるが、取り付け部や連結部は、必ずしも第１の固定プレート体や第２の固定プレート体の幅方向両端に位置する必要はない。ヒンジシャフトには、ピン状のものなども含まれる。
【０００９】
第２の固定プレート体を第１の固定プレート体にロックするには、ロックレバーのストッパ部を第１の切り欠き又は第２の切り欠きに嵌め込む。そして、第２の固定プレート体を回転させる場合には、ストッパ部が第１の切り欠き又は第２の切り欠きから抜け出るように、ロックレバーに解除力を加え、ロックレバーを係合用バネ手段のバネ力に抗して揺動させる。ストッパ部が第１の切り欠き又は第２の切り欠きから抜け出れば、第２の固定プレート体を回転（相対的に回転）させることができる。ここで、ロックレバーへの解除力を取り去ると、ストッパ部が、第１の切り欠き内又は第２の切り欠き内に戻らないで、第１の切り欠き又は第２の切り欠きからずれて変位し、移動可能に保持されるといったように構成されていれば、支持脚のスムーズな操作の確保が可能となる。そこで、本発明では、第１の固定プレート体及び第２の固定プレート体の間に解除用バネ手段を接続し、ロックレバーのストッパ部が、第１の切り欠き又は第２の切り欠きに嵌り込むときに、解除用バネ手段のバネ力に抗して第２の固定プレート体を第１の固定プレート体に対して相対的に変位、例えば回動変位させる、といったように構成している。ここでは、ストッパ部が第１の切り欠き又は第２の切り欠きから抜け出ると、解除用バネ手段に対する規制力が消失するので、第２の固定プレート体は第１の固定プレート体に対して変位した分だけ相対的に復帰する。そして、第２の固定プレート体のこの相対的な復帰動作で、ストッパ部は第１の切り欠き又は第２の切り欠きからずれて変位し、例えば第１の固定プレート体の取り付け部の外周に移動可能に係止することとなる。
【００１０】
第２の固定プレート体が、第１の角度位置で、第１の固定プレート体に対して一直線状に開いた状態となり、第２の角度位置で、第１の固定プレート体に対して屈曲した状態となる、ように構成できる。また、第１の固定プレート体が被支持体に固定され、第２の固定プレート体が支持脚に固定される、といったように構成することもできる。
【００１１】
ロックレバーのストッパ部が、第１の切り欠き又は第２の切り欠きに嵌り込むときに、解除用バネ手段のバネ力に抗して第２の固定プレート体を第１の固定プレート体に対して相対的に変位させる構成としては、第１の固定プレート体の取り付け部及び第２の固定プレート体の連結部の一方に長孔を形成しておき、例えば第１の固定プレート体の取り付け部又は第２の固定プレート体の連結部に取り付けられるヒンジシャフトをこの長孔に通すことにより、第１の固定プレート体と第２の固定プレート体とを回転可能に連結し、解除用バネ手段で、ヒンジシャフトを長孔の長さ方向一端部側に付勢する、といったものを採用することができる。そして、ロックレバーのストッパ部が、解除用バネ手段のバネ力に抗し、第２の固定プレート体を第１の固定プレート体に対して回動変位させ、ヒンジシャフトを長孔の長さ方向他端部側に移動させながら、第１の切り欠き又は第２の切り欠きに嵌り込むといったように構成する。
【００１２】
長孔は、第１の固定プレート体と平行に長く延びるように取り付け部に形成することができる。また、第２の固定プレート体が、第１の固定プレート体と一直線状となる第１の角度位置に回転する直前で、第１の固定プレート体と、端部同士が当接するように構成することができる。ここでは、第２の固定プレート体は、当接している端部を中心として、解除用バネ手段のバネ力に抗して、ヒンジシャフトを長孔の長さ方向他端部側に移動させながら、第１の角度位置まで回転動を行う。
【発明の効果】
【００１３】
以上説明したように、本発明の支持脚用取り付け具を用いれば、支持脚の操作をスムーズに行うことが可能となる。                                        
【発明を実施するための最良の形態】
【００１４】
以下、本発明を実施するための形態を図面を参照して説明する。
【００１５】
図１は本発明に係る支持脚用取り付け具であってコタツに適用されたものの斜視図、図２は支持脚用取り付け具の側面図、図３は支持脚用取り付け具の平面図である。
【００１６】
支持脚用取り付け具（支持脚用取り付け金具）１は、金属製の本体側固定プレート体３（第１の固定プレート体）と金属製の脚側固定プレート体５（第２の固定プレート体）とを、ヒンジ構造７を介して、回転可能に連結することにより構成されていて、本体側固定プレート体３は、コタツ本体の枠部９（被支持体）の内面（裏面）に固定され、脚側固定プレート体５は、コタツ脚部１１（支持脚）の上端部内側面（上端部裏面）に固定される。本体側固定プレート体３には複数個のビス孔１３が形成され、脚側固定プレート体５にも同様に複数個のビス孔１５が形成されていて、本体側固定プレート体３及び脚側固定プレート体５はそれぞれ、ビス１７、１９を、ビス孔１３、１５に通してコタツ本体の枠部９及びコタツ脚部１１にねじ込むことにより、コタツ本体の枠部９及びコタツ脚部１１に固定して取り付けられる。
【００１７】
本体側固定プレート体３の両側部には、連結側（先端側）で、一対の取り付けサイドプレート２１、２１が屈曲形成されていて、この取り付けサイドプレート２１、２１はそれぞれ、本体側固定プレート体３の先端部で、この本体側固定プレート体３と接するような状態に配置されている本体側円盤状部２３と、この本体側円盤状部２３から反連結側（後端側）に一体的に延びる本体側補強部２５と、を有し、本体側円盤状部２３は先端側半分（先端側半分よりも若干広い部分）が本体側固定プレート体３の先端よりも前方に突出しているが、本体側円盤状部２３と本体側補強部２５との間には境界は形成されていない。本体側補強部２５の外端は、後方に向かって本体側固定プレート体３側に傾斜して延びていて、本体側補強部２５の突出高さは、後方に向かって漸次低くなっている。
【００１８】
それぞれの本体側円盤状部２３の外周には、前方外側に第１の切り欠き２７が形成され、後方外側に第２の切り欠き２９が形成されていて、第１の切り欠き２７と第２の切り欠き２９とは、ほぼ９０度の角度を有するような位置関係で配置されている。本体側補強部２５の外端は、第２の切欠き２９個所での本体側円盤状部２３の接線にほぼ沿って延びている。
【００１９】
本体側円盤状部２３の中心部には、本体側固定プレート体３の延びる方向に若干長い、あるいは本体側固定プレート体３と平行に若干長く延びるヒンジ長孔３１が形成されていて、このヒンジ長孔３１の中心が本体側円盤状部２３の中心となっている。
【００２０】
脚側固定プレート体５の両側部にも、連結側（先端側）で、一対の連結サイドプレート３３、３３が屈曲形成されていて、この連結サイドプレート３３、３３はそれぞれ、脚側固定プレート体５の先端部で、この脚側固定プレート体５と接するような状態に配置されている脚側円盤状部３５と、この脚側円盤状部３５の内側から反連結側（後端側）に一体的に延びる脚側補強部３７と、を有し、脚側円盤状部３５は先端側半分が脚側固定プレート体５の先端よりも前方に突出しているが、やはり、脚側円盤状部３５と脚側補強部３７との間には境界は形成されていない。なお、脚側円盤状部３５は、本体側円盤状部２３とほぼ同一の外径を有している。
【００２１】
それぞれの脚側円盤状部３５の外周には、脚側固定プレート体５が本体側固定プレート体３と一直線状となるように回転したとき、あるいは、脚側固定プレート体５が本体側固定プレート体３に対して９０度の角度で屈曲するように回転したとき、本体側円盤状部２３の第１の切り欠き２７あるいは第２の切り欠き２９と一致することとなるように、補助用切り欠き３９が形成されている。
【００２２】
一対の連結サイドプレート３３、３３の外面間の幅は、一対の取り付けサイドプレート２１、２１の内面間の幅とほぼ等しく設定されていて、脚側固定プレート体５の回転時には、連結サイドプレート３３と取り付けサイドプレート２１とが摺動するように構成されている。なお、脚側円盤状部３５の中心には、円形のシャフト孔４１が形成されている。
【００２３】
連結サイドプレート３３、３３の脚側補強部３７、３７にはそれぞれ、後端部で取り付け孔４３が形成されていて、一方側の取り付け孔４３から他方側の取り付け孔４３にレバーシャフト４５が通され、その結果、脚側補強部３７、３７に、レバーシャフト４５が、例えば回転可能に支持されている。脚側補強部３７、３７に支持されているレバーシャフト４５には、脚側補強部３７、３７間に位置するように、金属製のロックレバー４７が揺動可能に取り付けられている。ロックレバー４７は、幅方向中央に指掛け片４９が一体的に形成された断面コ字状のプレート状解除部５１と、解除部５１のそれぞれの側壁プレート５３、５３の先端部から前方外側に延びる一対の揺動アーム５５、５５と、から一体的に形成され、揺動アーム５５の付け根部に設けられた通し孔５７、５７にレバーシャフト４５が通されることによって、ロックレバー４７はレバーシャフト４５に回転可能に嵌められている。揺動アーム５５、５５の外面間の幅は、脚側補強部３７、３７の内面間の幅とほぼ等しく設定されていて、ロックレバー４７の回転時に、揺動アーム５５と脚側補強部３７とが摺動するように構成されている。
【００２４】
ロックレバー４７の揺動アーム５５、５５の先端部間には係合シャフト５９が取り付けられていて、この係合シャフト５９の両端部はそれぞれ、揺動アーム５５、５５よりも幅方向外側に比較的長く突出して、ストッパ部６１、６１を形成している。
【００２５】
また、レバーシャフト４５には、トーションスプリング６３（係合用バネ手段）のコイル部６５が嵌められていて、このトーションスプリング６３の一端部及び他端部は、解除部５１と脚側固定プレート体５の後端部との間に位置して、ロックレバー４７を、揺動アーム５５、５５の先端部が脚側固定プレート体５に接近するように、あるいは、係合シャフト５９が本体側円盤状部２３の外周に押し付けられるように、係合方向に付勢している。
【００２６】
本体側固定プレート体３と脚側固定プレート体５とのヒンジ構造７による連結は、一対の取り付けサイドプレート２１、２１の本体側円盤状部２３、２３の内側に、中心をほぼ一致させた状態で、一対の連結サイドプレート３３、３３の脚側円盤状部３５、３５を配置し、本体側円盤状部２３のヒンジ長孔３１及び脚側円盤状部３５のシャフト孔４１にヒンジシャフト６７を回転可能に通すことにより行われる。シャフト孔４１は、ヒンジシャフト６７とほぼ同一の径を有しているので、ヒンジシャフト６７は連結サイドプレート３３に取り付けられていることとなる。また、取り付けサイドプレート２１の本体側補強部２５の後端にはそれぞれ、引っ掛け用切り欠き６９が形成され、両方の本体側補強部２５、２５の引っ掛け用切り欠き６９、６９に渡された支持シャフト７１と、ヒンジシャフト６７との間には、２本の引っ張りコイルスプリング７３、７３（解除用バネ手段）が掛け渡されていて、ヒンジシャフト６７、したがって脚側固定プレート体５は、この引っ張りコイルスプリング７３、７３によって本体側固定プレート体３側に引っ張られ、ヒンジシャフト６７はヒンジ長孔３１の後端側（長さ方向一端部側）に押し付けられている。なお、脚側固定プレート体５は、連結サイドプレート３３の脚側円盤状部３５を、本体側固定プレート体３の先端部表面と摺動させながら回転する。
【００２７】
ロックレバー４７の揺動アーム５５、５５よりも幅方向外側のストッパ部６１、６１は、本体側円盤状部２３の外周に常に押し付けられるように付勢されているので、第１の切り欠き２７又は第２の切り欠き２９と一致すると、第１の切り欠き２７又は第２の切り欠き２９内に嵌り込んで係合する。、
【００２８】
図４は支持脚用取り付け具１の機能を説明するための図であり、コタツ脚部１１を折り畳んだ状態を示す図、図５は支持脚用取り付け具１の機能を説明するための図であり、コタツ脚部１１を展ばす直前の状態を示す図、図６支持脚用取り付け具１の機能を説明するための図であり、コタツ脚部１１を展ばした状態を示す図、図７は支持脚用取り付け具１の機能を説明するための図であり、コタツ脚部１１の折り畳みを開始する場合を示す図である。
【００２９】
コタツ脚部１１を折り畳む場合には、コタツ脚部１１とともに脚側固定プレート体５を、コタツ脚部１１がコタツ本体と平行になるまで、すなわち、脚側固定プレート体５が本体側固定プレート体３に対して９０度の角度で折れ曲がるまで回転させる。そうすると、本体側円盤状部２３の外周に形成された第２の切り欠き２９は、この９０度の脚側固定プレート体５の角度位置（第２の角度位置）に対応して設けられているので、本体側円盤状部２３の外周に沿って移動してきた係合シャフト５９は、この第２の切り欠き２９に到達し、この第２の切り欠き２９内に嵌り込んで係合する。したがって、コタツ脚部１１はコタツ本体と平行に折り畳まれた状態に保持される（図４参照）。
【００３０】
コタツ脚部１１を展ばす場合には、ロックレバー４７の指掛け片４９をトーションスプリング６３のバネ力に抗して脚側固定プレート体５側あるいはコタツ脚部１１側に押し込み、揺動アーム５５を解除方向に揺動させて、ストッパ部６１を第２の切り欠き２９から抜き出す（図５の上図参照）。そして、コタツ脚部１１とともに脚側固定プレート体５を、コタツ脚部１１がコタツ本体に対して９０度の角度で折れ曲がるように、すなわち、脚側固定プレート体５が本体側固定プレート体３に対して一直線状となるように回転させる（図５の下図参照）。コタツ脚部１１がコタツ本体に対してほぼ９０度の角度で折れ曲がり、脚側固定プレート体５が本体側固定プレート体３に対してほぼ一直線状となるまで回転すると、脚側固定プレート体５の先端と本体側固定プレート体３の先端とが当接する。この状態では、係合シャフト５９は、第１の切り欠き２７に到達していない。そして、コタツ脚部１１及び脚側固定プレート体５をさらに回転させようとすると、脚側固定プレート体５の回転中心は、ヒンジシャフト６７から本体側固定プレート体３の先端と当接している脚側固定プレート体５の先端個所７５に移り、脚側固定プレート体５は、引っ張りコイルスプリング７３のバネ力に抗して、ヒンジシャフト６７をヒンジ長孔３１の先端側に移動させながら、若干回転動（回転的な動き）を行う。そうすると、本体側円盤状部２３の外周に形成された第１の切り欠き２７は、一直線状の脚側固定プレート体５の角度位置（第１の角度位置）に対応して設けられているので、例えば本体側円盤状部２３の外周に沿って移動してきた係合シャフト５９は、この第１の切り欠き２７に到達し、この第１の切り欠き２７内に嵌り込んで係合する。したがって、脚側固定プレート体５は本体側固定プレート体３に対して一直線状となり（ここでは、脚側固定プレート体５は本体側固定プレート体３に対して１８０度の角度位置を若干越えている）、コタツ脚部１１は展びた状態に保持される。
【００３１】
次ぎに、再びコタツ脚部１１を折り畳む場合には、ロックレバー４７の指掛け片４９をトーションスプリング６３のバネ力に抗して脚側固定プレート体５側あるいはコタツ脚部１１側に押し込み、揺動アーム５５を解除方向に揺動させて、ストッパ部６１を第１の切り欠き２７から抜き出す。そうすると、引っ張りコイルスプリング７３に引っ張られて、本体側固定プレート体３の先端と当接している脚側固定プレート体５の先端個所を中心として、脚側固定プレート体５が折り畳み方向に若干回転動し、ヒンジシャフト６７がヒンジ長孔３１の後端部側に移動する。その結果、ロックレバー４７の指掛け片４９から指をはなせば、係合シャフト５９のストッパ部６１は、本体側円盤状部２３外周の第１の切り欠き２７の入口近傍（第２の切り欠き２９側の入口近傍）に押し付けられて係止する。ここで、脚側固定プレート体５を折り畳み方向に押せば、係合シャフト５９のストッパ部６１は本体側円盤状部２３の外周上を第２の切り欠き２９側に向かって移動できるので、脚側固定プレート体５は折り畳み方向に回転する。したがって、コタツ脚部１１を折り畳み方向に押すことにより、コタツ脚部１１を折り畳むことができる。
【産業上の利用可能性】
【００３２】
本発明の支持脚用取り付け具は、例えばコタツに用いられてコタツの取り扱い性を向上させるものである。
【図面の簡単な説明】
【００３３】
【図１】本発明に係る支持脚用取り付け具であってコタツに適用されたものの斜視図である。
【図２】支持脚用取り付け具の側面図である。
【図３】支持脚用取り付け具の平面図である。
【図４】支持脚用取り付け具の機能を説明するための図であり、コタツ脚部を折り畳んだ状態を示す図である。
【図５】支持脚用取り付け具の機能を説明するための図であり、コタツ脚部を展ばす直前の状態を示す図である。
【図６】支持脚用取り付け具の機能を説明するための図であり、コタツ脚部を展ばした状態を示す図である。
【図７】支持脚用取り付け具の機能を説明するための図であり、コタツ脚部の折り畳みを開始する場合を示す図である。
【符号の説明】
【００３４】
１                          支持脚用取り付け具
３                          本体側固定プレート体（第１の固定プレート体）
５                          脚側固定プレート体５（第２の固定プレート体）
７                          ヒンジ構造
９                          コタツ本体の枠部（被支持体）
１１                        コタツ脚部（支持脚）
２１                        取り付けサイドプレート（取り付け部）
２７                        第１の切り欠き
２９                        第２の切り欠き
３３                        連結サイドプレート（連結部）
４７                        ロックレバー
６３                        トーションスプリング（係合用バネ手段）
６１                        ストッパ部
６７                        ヒンジシャフト
７３                        引っ張りコイルスプリング（解除用バネ手段）
【図１】
2005287835.tif 000003
【図２】
2005287835.tif 000004
【図３】
2005287835.tif 000005
【図４】
2005287835.tif 000006
【図５】
2005287835.tif 000007
【図６】
2005287835.tif 000008
【図７】
2005287835.tif 000009